【手続補正書】
【提出日】平成17年6月15日(2005.6.15)
【手続補正１】
【補正対象書類名】明細書
【補正対象項目名】発明の名称
【補正方法】変更
【補正の内容】
【発明の名称】図形表示制御装置及び図形表示制御プログラム
【手続補正２】
【補正対象書類名】明細書
【補正対象項目名】特許請求の範囲
【補正方法】変更
【補正の内容】
【特許請求の範囲】
【請求項１】
表示形態を幾何図形で表示する図形画面と表示形態を文字列からなる数式で表示する数式画面とを備えた表示部と、
前記図形画面及び前記数式画面のうち、一方の画面に対するコピー操作がなされた後、他方の画面に対する貼り付け操作がなされた場合に、前記コピー操作により指定された一方の表示形態の内容を、前記貼り付け操作により指定された他方の表示形態に変換して当該他方の画面に表示制御する変換表示制御手段と、
を備えることを特徴とする図形表示制御装置。
【請求項２】
前記変換表示制御手段は、前記数式画面に対して貼り付け操作がなされた場合に、前記数式画面に数式を表示する数式表示制御手段を備えることを特徴とする請求項１に記載の図形表示制御装置。
【請求項３】
前記変換表示制御手段は、前記数式画面に対してコピー操作がなされた場合に、当該コピー操作の際に指定された内容を数式として保存し、前記図形画面に対する貼り付け操作がなされたときに、前記図形画面に前記保存した数式に基づく幾何図形を表示する図形表示制御手段を備えることを特徴とする請求項１に記載の図形表示制御装置。
【請求項４】
前記変換表示制御手段は、前記図形画面に対して複数の幾何図形が指定されてコピー操作がなされた後に、前記数式画面に対する貼り付け操作がなされた場合に、前記数式画面に前記指定された複数の幾何図形のそれぞれの数式を連立式として表示する連立式表示制御手段を備えることを特徴とする請求項１に記載の図形表示制御装置。
【請求項５】
入力された関数式に基づいて、当該関数式の幾何図形を前記図形画面に表示制御する関数式図形表示制御手段を更に備え、
前記変換表示制御手段は、前記図形画面に対して前記関数式の幾何図形が指定されてコピー操作がなされた後に、前記数式画面に対する貼り付け操作がなされた場合に、前記指定された幾何図形の関数式を前記数式画面に表示する関数式表示制御手段を備えることを特徴とする請求項１に記載の図形表示制御装置。
【請求項６】
前記変換表示制御手段は、前記図形画面に対して点又はベクトルが指定されてコピー操作がなされた後に、前記数式画面に対する貼り付け操作がなされた場合に、前記指定された点又はベクトルの座標に基づく行列データを前記数式画面に表示する点ベクトル行列データ表示制御手段を備えることを特徴とする請求項１に記載の図形表示制御装置。
【請求項７】
前記変換表示制御手段は、前記図形画面に対して多角形図形が指定されてコピー操作がなされた後、前記数式画面に対する貼り付け操作がなされた場合、前記指定された多角形図形の各頂点の座標に基づく行列データを前記数式画面に表示する多角形行列データ表示制御手段を備えることを特徴とする請求項１に記載の図形表示制御装置。
【請求項８】
表示形態を幾何図形で表示する図形画面と表示形態を文字列からなる数式で表示する数式画面とを備えた表示部を有する図形表示制御装置のコンピュータを制御するための図形表示制御プログラムであって、
前記コンピュータを、
前記図形画面及び前記数式画面のうち、一方の画面に対するコピー操作がなされた後、他方の画面に対する貼り付け操作がなされた場合に、前記コピー操作により指定された一方の表示形態の内容を、前記貼り付け操作により指定された他方の表示形態に変換して当該他方の画面に表示制御する変換表示制御手段、
として機能させるための図形表示制御プログラム。
【手続補正３】
【補正対象書類名】明細書
【補正対象項目名】０００１
【補正方法】変更
【補正の内容】
【０００１】
【発明の属する技術分野】
本発明は、図形表示制御装置及び図形表示制御プログラムに関する。    
【手続補正４】
【補正対象書類名】明細書
【補正対象項目名】０００７
【補正方法】変更
【補正の内容】
【０００７】
【課題を解決するための手段】
以上の課題を解決するため、請求項１に記載の図形表示制御装置は、表示形態を幾何図形で表示する図形画面と表示形態を文字列からなる数式で表示する数式画面とを備えた表示部と、前記図形画面及び前記数式画面のうち、一方の画面に対するコピー操作がなされた後、他方の画面に対する貼り付け操作がなされた場合に、前記コピー操作により指定された一方の表示形態の内容を、前記貼り付け操作により指定された他方の表示形態に変換して当該他方の画面に表示制御する変換表示制御手段と、を備えることを特徴としている。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
この請求項１に記載の発明によれば、図形画面及び数式画面のうち、一方の画面に対するコピー操作がなされた後、他方の画面に対する貼り付け操作がなされた場合に、前記コピー操作により指定された一方の表示形態の内容を、前記貼り付け操作により指定された他方の表示形態に変換して当該他方の画面に表示させることができる。例えば、数式画面に対してコピー操作して、図形画面で貼り付け操作すれば、数式画面のデータを図形形式で表示させることができる。また、図形画面に対してコピー操作して、数式画面で貼り付け操作すれば、図形画面のデータを数式形式で表示させることができる。従って、きわめて簡単な操作により数式等の文字データとそれに対応するグラフや図形等の関係を理解することができる。
【手続補正７】
【補正対象書類名】明細書
【補正対象項目名】００１０
【補正方法】変更
【補正の内容】
【００１０】
また、請求項２に記載の発明は、請求項１に記載の図形表示制御装置において、前記変換表示制御手段は、前記数式画面に対して前記貼り付け操作がなされた場合に、前記数式画面に数式を表示する数式表示制御手段を備えることを特徴としている。
【手続補正８】
【補正対象書類名】明細書
【補正対象項目名】００１１
【補正方法】変更
【補正の内容】
【００１１】
この請求項２に記載の発明によれば、数式画面に対して前記貼り付け操作がなされた場合に、前記数式画面に数式を表示させることができる。従って、きわめて簡単な操作により数式等の文字データとそれに対応するグラフや図形等の関係を理解することができる。
【手続補正９】
【補正対象書類名】明細書
【補正対象項目名】００１２
【補正方法】変更
【補正の内容】
【００１２】
請求項３に記載の図形表示制御装置は、請求項１に記載の図形表示制御装置において、前記変換表示制御手段は、前記数式画面に対して前記コピー操作がなされた場合に、当該コピー操作の際に指定された内容を数式として保存し、前記図形画面に対する前記貼り付け操作がなされたときに、前記図形画面に前記保存した数式に基づく幾何図形を表示する図形表示制御手段を備えることを特徴としている。
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】変更
【補正の内容】
【００１４】
この請求項３に記載の発明によれば、数式画面に対して前記コピー操作がなされた場合に、当該コピー操作の際に指定された内容を数式として保存し、前記図形画面に対する前記貼り付け操作がなされたときに、前記図形画面に前記保存した数式に基づく幾何図形を表示するので、きわめて簡単な操作により数式等の文字データとそれに対応するグラフや図形等の関係を理解することができる。
【手続補正１２】
【補正対象書類名】明細書
【補正対象項目名】００１５
【補正方法】変更
【補正の内容】
【００１５】
また、請求項４に記載の発明は、請求項１に記載の図形表示制御装置において、前記変換表示制御手段は、前記図形画面に対して複数の幾何図形が指定されてコピー操作がなされた後に、前記数式画面に対する貼り付け操作がなされた場合に、前記数式画面に前記指定された複数の幾何図形のそれぞれの数式を連立式として表示する連立式表示制御手段を備えることを特徴としている。
【手続補正１３】
【補正対象書類名】明細書
【補正対象項目名】００１６
【補正方法】変更
【補正の内容】
【００１６】
この請求項４に記載の発明によれば、前記図形画面に対して複数の幾何図形が指定されてコピー操作がなされた後に、前記数式画面に対する貼り付け操作がなされた場合に、前記数式画面に前記指定された複数の幾何図形のそれぞれの数式を連立式として表示するので、きわめて簡単な操作により複数の幾何図形と対応する複数の幾何図形の連立式の関係を理解することができる。例えば、複数のグラフの幾何図形を指定してコピー操作し、数式画面に貼り付けると、指定した複数のグラフの数式が連立式として表示され、複数のグラフ図形とそれらグラフの連立式の関係を、きわめて簡単な操作により理解することができる。
【手続補正１４】
【補正対象書類名】明細書
【補正対象項目名】００１７
【補正方法】変更
【補正の内容】
【００１７】
また、請求項５に記載の発明は、請求項１に記載の図形表示制御装置において、入力された関数式に基づいて、当該関数式の幾何図形を前記図形画面に表示制御する関数式図形表示制御手段を更に備え、前記変換表示制御手段は、前記図形画面に対して前記関数式の幾何図形が指定されてコピー操作がなされた後に、前記数式画面に対する貼り付け操作がなされた場合に、前記指定された幾何図形の関数式を前記数式画面に表示する関数式表示制御手段を備えることを特徴としている。
【手続補正１５】
【補正対象書類名】明細書
【補正対象項目名】００１８
【補正方法】変更
【補正の内容】
【００１８】
この請求項５に記載の発明によれば、図形画面で指定した幾何図形の関数式を前記数式画面に表示させることができ、幾何図形と関数式の関係を、きわめて簡単な操作により理解することができる。
【手続補正１６】
【補正対象書類名】明細書
【補正対象項目名】００１９
【補正方法】変更
【補正の内容】
【００１９】
また、請求項６に記載の発明は、請求項１に記載の図形表示制御装置において、前記変換表示制御手段は、前記図形画面に対して点又はベクトルが指定されてコピー操作がなされた後に、前記数式画面に対する貼り付け操作がなされた場合に、前記指定された点又はベクトルの座標に基づく行列データを前記数式画面に表示する点ベクトル行列データ表示制御手段を備えることを特徴としている。
【手続補正１７】
【補正対象書類名】明細書
【補正対象項目名】００２０
【補正方法】変更
【補正の内容】
【００２０】
この請求項６に記載の発明によれば、図形画面で指定した点又はベクトルの座標に基づく行列データを前記数式画面に表示させることができ、点やベクトルとその座標に基づく行列データの関係を、きわめて簡単な操作により理解することができる。
【手続補正１８】
【補正対象書類名】明細書
【補正対象項目名】００２１
【補正方法】変更
【補正の内容】
【００２１】
また、請求項７に記載の発明は、請求項１に記載の図形表示制御装置において、前記変換表示制御手段は、前記図形画面に対して多角形図形が指定されてコピー操作がなされた後、前記数式画面に対する貼り付け操作がなされた場合、前記指定された多角形図形の各頂点の座標に基づく行列データを前記数式画面に表示する多角形行列データ表示制御手段を備えることを特徴としている。
【手続補正１９】
【補正対象書類名】明細書
【補正対象項目名】００２２
【補正方法】変更
【補正の内容】
【００２２】
この請求項７に記載の発明によれば、図形画面で指定した多角形図形の座標に基づく行列データを前記数式画面に表示させることができ、多角形図形とその座標に基づく行列データの関係を、きわめて簡単な操作により理解することができる。
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】０１８９
【補正方法】変更
【補正の内容】
【０１８９】
【発明の効果】
請求項１に記載の発明によれば、図形画面及び数式画面のうち、一方の画面に対するコピー操作がなされた後、他方の画面に対する貼り付け操作がなされた場合に、前記コピー操作により指定された一方の表示形態の内容を、前記貼り付け操作により指定された他方の表示形態に変換して当該他方の画面に表示させることができる。例えば、数式画面に対してコピー操作して、図形画面で貼り付け操作すれば、数式画面のデータを図形形式で表示させることができる。また、図形画面に対してコピー操作して、数式画面で貼り付け操作すれば、図形画面のデータを数式形式で表示させることができる。従って、きわめて簡単な操作により数式等の文字データとそれに対応するグラフや図形等の関係を理解することができる。
【手続補正２５】
【補正対象書類名】明細書
【補正対象項目名】０１９０
【補正方法】変更
【補正の内容】
【０１９０】
請求項２に記載の発明によれば、数式画面に対して前記貼り付け操作がなされた場合に、前記数式画面に数式を表示させることができる。従って、きわめて簡単な操作により数式等の文字データとそれに対応するグラフや図形等の関係を理解することができる。
【手続補正２６】
【補正対象書類名】明細書
【補正対象項目名】０１９１
【補正方法】変更
【補正の内容】
【０１９１】
請求項３に記載の発明によれば、数式画面に対して前記コピー操作がなされた場合に、当該コピー操作の際に指定された内容を数式として保存し、前記図形画面に対する前記貼り付け操作がなされたときに、前記図形画面に前記保存した数式に基づく幾何図形を表示するので、きわめて簡単な操作により数式等の文字データとそれに対応するグラフや図形等の関係を理解することができる。
【手続補正２７】
【補正対象書類名】明細書
【補正対象項目名】０１９２
【補正方法】変更
【補正の内容】
【０１９２】
この請求項４に記載の発明によれば、前記図形画面に対して複数の幾何図形が指定されてコピー操作がなされた後に、前記数式画面に対する貼り付け操作がなされた場合に、前記数式画面に前記指定された複数の幾何図形のそれぞれの数式を連立式として表示するので、きわめて簡単な操作により複数の幾何図形と対応する複数の幾何図形の連立式の関係を理解することができる。例えば、複数のグラフの幾何図形を指定してコピー操作し、数式画面に貼り付けると、指定した複数のグラフの数式が連立式として表示され、複数のグラフ図形とそれらグラフの連立式の関係を、きわめて簡単な操作により理解することができる。
【手続補正２８】
【補正対象書類名】明細書
【補正対象項目名】０１９３
【補正方法】変更
【補正の内容】
【０１９３】
請求項５に記載の発明によれば、図形画面で指定した幾何図形の関数式を前記数式画面に表示させることができ、幾何図形と関数式の関係を、きわめて簡単な操作により理解することができる。
【手続補正２９】
【補正対象書類名】明細書
【補正対象項目名】０１９４
【補正方法】変更
【補正の内容】
【０１９４】
請求項６に記載の発明によれば、図形画面で指定した点又はベクトルの座標に基づく行列データを前記数式画面に表示させることができ、点やベクトルとその座標に基づく行列データの関係を、きわめて簡単な操作により理解することができる。
【手続補正３０】
【補正対象書類名】明細書
【補正対象項目名】０１９５
【補正方法】変更
【補正の内容】
【０１９５】
請求項７に記載の発明によれば、図形画面で指定した多角形図形の座標に基づく行列データを前記数式画面に表示させることができ、多角形図形とその座標に基づく行列データの関係を、きわめて簡単な操作により理解することができる。
【手続補正３１】
【補正対象書類名】明細書
【補正対象項目名】０１９６
【補正方法】削除
【補正の内容】
【手続補正３２】
【補正対象書類名】明細書
【補正対象項目名】０１９７
【補正方法】削除
【補正の内容】